(57)【要約】【課題】芯タンクをノックしたり、軸筒を上下動させてテーパーの先端から芯を繰り出す形式のシャープペンシルにおいて、芯の送出量を調整できるようにした構成の簡単なシャープペンシルを提供する。【解決手段】軸筒１内に、芯６を繰り出すためのチャック２０およびチャックリング１９を先端に有する芯タンク３を収納する。軸筒はチャックリングが出没する先端軸２５を有し、先端軸にはねじ部２６が形成されている。この先端軸には、回転可能な操作リング３４と上記ねじ部２６にねじ係合する作動駒４０が取り付けられ、この作動駒には、上記チャックリングが当たる段部４を有するテーパー２が取り付けられる。作動駒４０は、軸方向に移動可能に操作リング３４に連結され、操作リング３４を回転するとテーパー２の位置が軸方向に変化する。【選択図】図１
2013119168.tif 000002
【特許請求の範囲】
【請求項１】
軸筒の内部に軸方向に移動可能に芯タンクを収納し、該芯タンクをリターンスプリングで後方に付勢し、上記芯タンクの前部に芯を把持するチャック及びチャックリングを連結し、軸筒の先端に上記チャックリングが当接する段部と芯保持部を有するテーパーを設け、上記チャックを前進させてチャックリングがテーパーの段部に当たる位置まで芯送りできるようにしたシャープペンシルにおいて、上記軸筒の先端に上記チャックが挿通する先端軸を形成し、該先端軸の外周の一部にねじ部を設け、該先端軸に回転可能に操作リングを嵌着すると共に該先端軸のねじ部に作動駒をねじ係合し、該作動駒に上記テーパーを取り付け、上記操作リングを回転した際、作動駒が軸方向に移動するよう上記作動駒を操作リングに軸方向に移動可能に連結したことを特徴とするシャープペンシル。
【請求項２】
上記先端軸には係止突起が設けられ、上記操作リングの内方には該係止突起を越えて先端軸に設けた軸支部に係合するよう弾性的に拡開する係止爪が形成されている請求項１に記載のシャープペンシル。
【請求項３】
上記先端軸には、上記ねじ部が形成されていない平面部が設けられている請求項１または２に記載のシャープペンシル。
【請求項４】
上記操作リングの内面には隆起条が形成され、上記先端軸には該隆起条に係合する突片が設けられている請求項１から３のいずれかに記載のシャープペンシル。
【請求項５】
上記先端軸と操作リングには、操作リングの回転範囲を規制するストップ片が設けられている請求項１から４のいずれかに記載のシャープペンシル。
【請求項６】
上記作動駒には、上記先端軸の外周に嵌合する筒状部が設けられている請求項１に記載のシャープペンシル。
【請求項７】
上記芯タンクは上記チャックを保持するチャックガイドに連結され、芯タンクの外周には該チャックガイドに当接するよう軸方向に移動可能に振り子が嵌着され、上記チャックガイドと軸筒の段部間にはチャックガイドを後方に付勢するリターンスプリングが設けられている請求項１に記載のシャープペンシル。
【発明の詳細な説明】
【技術分野】
【０００１】
本発明は、ノック操作や上下動操作により軸筒の先端から芯を送り出すことができるようにしたシャープペンシルにおいて、芯の送出量を調節したり、先端から突出する芯の突出量を調整できるようにしたシャープペンシルに関するものである。
【背景技術】
【０００２】
芯タンクをノックしたり、軸筒を上下動することによりチャックを前進させて芯を先端から送り出すようにしたシャープペンシルが知られている。このようなシャープペンシルは、ノックや上下動させた際に、チャックが前進し、該チャックを締着しているチャックリングがストッパー（段部）に当る位置まで芯を送り出すことができるように構成されている。そして、このとき、ストッパーとチャックリングの間隔を変化させることにより、芯の送出量を調整できるようにした調整装置が種々提案されている（例えば特許文献１参照）。
【０００３】
しかし、特許文献１に記載されているように、従来のこの種のシャープペンシルは、部品点数が多くなり、構成が複雑で組立も面倒になり、経済的に得にくい。
【先行技術文献】
【特許文献】
【０００４】
【特許文献１】実開昭５７−３２１８６号公報（第１図）
【発明の概要】
【発明が解決しようとする課題】
【０００５】
本発明の解決課題は、芯タンクをノックしたり、軸筒を上下動することにより芯を送り出すことができるようにしたノック式シャープペンシルにおいて、簡単な構成で、部品点数も少なく、組立も容易で、芯の送出量を的確に調整できるようにしたシャープペンシルを提供することである。
【課題を解決するための手段】
【０００６】
本発明によれば、軸筒の内部に軸方向に移動可能に芯タンクを収納し、該芯タンクをリターンスプリングで後方に付勢し、上記芯タンクの前部に芯を把持するチャック及びチャックリングを連結し、軸筒の先端に上記チャックリングが当接する段部と芯保持部を有するテーパーを設け、上記チャックを前進させてチャックリングがテーパーの段部に当たる位置まで芯送りできるようにしたシャープペンシルにおいて、上記軸筒の先端に上記チャックが挿通する先端軸を形成し、該先端軸の外周の一部にねじ部を設け、該先端軸に回転可能に操作リングを嵌着すると共に該先端軸のねじ部に作動駒をねじ係合し、該作動駒に上記テーパーを取り付け、上記操作リングを回転した際、作動駒が軸方向に移動するよう上記作動駒を操作リングに軸方向に移動可能に連結したことを特徴とするシャープペンシルが提供され、上記課題が解決される。
【０００７】
また、本発明によれば、上記先端軸には係止突起が設けられ、上記操作リングの内方には該係止突起を越えて先端軸に設けた軸支部に係合するよう弾性的に拡開する係止爪が形成されている上記シャープペンシルが提供され、さらに、上記芯タンクに連結され上記チャックを保持するチャックガイドと、該チャックガイドに当接するよう上記芯タンクの外周に軸方向に移動可能に設けられた振り子と、上記チャックガイドを後方に付勢するノックスプリングを具備する上記シャープペンシルが提供される。
【発明の効果】
【０００８】
本発明は、上記のように構成され、軸筒の内部に軸方向に移動可能に芯タンクを収納し、該芯タンクをリターンスプリングで後方に付勢し、上記芯タンクの前部に芯を把持するチャック及びチャックリングを連結し、軸筒の先端に上記チャックリングが当接する段部と芯保持部を有するテーパーを設け、上記チャックを前進させてチャックリングがテーパーの段部に当たる位置まで芯送りできるようにしたシャープペンシルにおいて、上記軸筒の先端に上記チャックが挿通する先端軸を形成し、該先端軸の外周の一部にねじ部を設け、該先端軸に回転可能に操作リングを嵌着すると共に該先端軸のねじ部に作動駒をねじ係合し、該作動駒に上記テーパーを取り付け、上記操作リングを回転した際、作動駒が軸方向に移動するよう上記作動駒を操作リングに軸方向に移動可能に連結したから、芯タンクを前進させると、チャックリングがテーパーの段部に当る位置までチャックは芯を把持して送り出すことができる。そして、操作リングを回転すると、作動駒が移動しテーパーの位置が前後に変化するから、チャックリングが当る上記段部の位置を軸方向に調整可能であり、芯の送出量を変えることができる。この際、上記調整機構は、軸筒の先端軸に回転可能に取り付けた操作リングとテーパーを保持する作動駒で構成されているので、部品点数が少なく、組立も容易で経済的に得ることができる。
【０００９】
また、操作リングの調整により、チャックリングにテーパーの段部を接触させれば、芯が繰り出されないようにでき、携行時に便利である。芯繰り出し時に操作リングを回転すれば、一回ノックの芯出量を調整することができる。使用状態で、操作リングを調整すれば、芯を出しすぎた場合でも芯の突出量を調整できるし、芯が短くなったときには、ノック操作をせずに操作リングを回すだけで芯出しすることも可能である。
【図面の簡単な説明】
【００１０】
【図１】本発明の一実施例を示し、芯送りをできないようにした状態の断面図。
【図２】図１のＡ―Ａ線拡大断面図。
【図３】図１のＢ―Ｂ線拡大断面図。
【図４】図１のＣ―Ｃ線拡大断面図。
【図５】作動駒を移動させた状態の断面図。
【図６】軸筒の先端の一部を示し、（Ａ）は平面図、（Ｂ）は正面図、（Ｃ）は断面図、（Ｄ）は側面図、（Ｅ）は（Ｂ）図のＥ―Ｅ線断面図、（Ｆ）は（Ｂ）図のＦ−Ｆ線断面図。
【図７】操作リングを示し、（Ａ）は断面図、（Ｂ）は側面図、（Ｃ）は（Ａ）図のＣ―Ｃ線断面図、（Ｄ）は（Ａ）図のＤ−Ｄ線断面図、（Ｅ）は（Ａ）図のＥ―Ｅ線断面図。
【図８】作動駒を示し、（Ａ）平面図、（Ｂ）は側面図、（Ｃ）は断面図。
【発明を実施するための形態】
【００１１】
図１は、本発明のシャープペンシルの一実施例を示し、軸筒１は、先端に段部４と芯保持部５を有するテーパー（口金）２を具備し、内部には軸筒１の軸方向（前後方向、上下方向）に移動可能に芯タンク３が挿入され、芯６が収納されている。図１において、軸筒１は、下部軸筒７と、該下部軸筒７に接続される上部軸筒８を有するが、下部軸筒と上部軸筒を一体的に構成することもできる。上部軸筒８の内面には、リブ９と肩部１０が形成され、該肩部１０と芯タンク３のフランジ１１間には該芯タンクを後方に付勢するリターンスプリング１２が設けられている。該芯タンク３の後端には消しゴム１３が嵌着され、ノックキャップ１４が嵌着されている。該芯タンク３の中間部には上記肩部１０に当接するようストッパー１５が形成され、組立時に該ストッパー１６が容易に肩部１０を通過することができるよう芯タンク３の壁面には弾性的変形を許容するための孔１６が形成されている。該ストッパーの前方には、内方突起１７が形成してあるが、この内方突起１７は、上記肩部１０を通過できる大きさに設けられている。
【００１２】
上記芯タンク３の先端は、チャックガイド１８に挿入され、該チャックガイド１８には、先部にチャックリング１９を装着したチャック２０が固定されている。下部軸筒７の内面には、チャックガイド１８を案内するリブ２１と段部２２が設けられ、該段部２２とチャックガイド１８の間には、チャックガイド１８を後方に付勢するスプリング２３が設けられている。上記芯タンク３の外周には振り子（錘）２４が摺動（上下動）可能に嵌着されており、軸筒１を振って振り子を前進させた際、上記チャックガイド１８に振り子２４が当接してチャック２０を前進させることができる。該振り子２４の後退動は、上記芯タンク３の内方突起１７により規制される。
【００１３】
上記下部軸筒７の先端には、上記チャック２０が挿通し上記チャックリング１９が出没する先端軸２５が形成されている。該先端軸２５の外面の一部には、ねじ部（雄ねじ）２６が形成されている。図６を参照し、先端軸２５の周方向の一部にはねじ部２６のない平面部２７を設けてあり、これにより、後記するように組立時にねじ込み作業によらずに組立でき、作業を簡素化することができる。ねじ部２６の後方の先端軸２５の外周面には係止突起２８を設けてあり、該係止突起２８から後方に広がる傾斜面を介して中間部２９及び該中間部２９より少し直径の大きい基部３０を設け、該中間部２９と係止突起２８の間に軸支部３１が形成されている。この中間部２９の一部には、図６（Ｅ）に示すように、両端縁を有するストップ片３２が突出形成され、上記基部３０には、図６（Ｂ）に示すように、小さな突片３３が設けられている。
【００１４】
上記先端軸２５には、操作リング３４が回転可能に嵌着されている。図７に示すように、操作リング３４は筒状に形成され、内方に設けた隔板３５には前方に向けて傾斜する複数の、図に示す実施例では、３個の係止爪３６がスリットを介して設けられている。該係止爪３６は、上記構成により弾性的に拡開可能であるから、上記下部軸筒７の先端軸２５の前方から操作リング３４を差込めば、係止突起２８を乗り越えて該係止突起２８と中間部２９の間に形成された軸支部３１に入り込み、先端軸２５の外周に回転可能に嵌着させることができる。また、該操作リング３４の隔板３５の後方の内周面には、弧状のストップ片３７と長手方向に延びる小さな隆起条３８を設けてある。該弧状のストップ片３７は、軸筒１の先端軸２５の中間部２９に入り込み、図３に示すように、操作リング３４を時計方向、反時計方向に回転した際、該ストップ片３７が中間部２９の上記ストップ片３２に当って回転位置を規制できるようにしてある。上記隆起条３８は、先端軸２５の基部３０に形成した上記突片３３に係合し、操作リング３４を回転した際に、使用者にクリック感を与えることができるようにすると共に操作リングが勝手に回動しないようにしてある。上記操作リング３４の隔板の前方には、長手方向に延びる係止溝３９が形成されている。
【００１５】
上記先端軸２５のねじ部２６には、作動駒４０がねじ係合されている。該作動駒４０は、図８に示すように、先端軸２５のねじ部２６に係合するねじ部（雌ねじ）４１を内面に有し、外面には上記テーパー２を取り付けるためのねじ部４２が設けられている。なお、このねじ部４２に代えてテーパー２と作動駒４０の嵌合部に凹凸係合部を設けてテーパーを取り付けるようにしてもよい（図示略）。作動駒４０の後方部４３は、上記操作リング３４内に挿入できる外径に形成されており、かつ上記係止溝３９に摺動可能に入り込むよう摺動突起４４が設けられている。この構成により、操作リング３４を回転すると、作動駒４０も一緒に回転するが、該作動駒４０は先端軸２５の上記ねじ部２６にねじ係合しているので、回転しながら軸筒の前後方向（軸方向）に移動する。この際、該作動駒４０の内面には上記先端軸２５の外周に摺接するよう筒状部４５を形成してあるので、作動駒４０は安定状態で前後動し、筆記状態においてテーパー２を動揺しないように保持することができる。それにより、芯６の折損を防止することができる。なお、実施例とは反対に、作動駒４０に係止溝３９を設け、上記操作３４に摺動突起４４を設けてもよい（図示略）。
【００１６】
組み立てる際は、下部軸筒５の後方からスプリング２３を装着したチャックガイド１８を挿入し、前方からチャックリング１９を装着したチャック２０を挿入し、該チャックの後端をチャックガイドの先端に圧入固定する。次に、操作リング３４を先端軸２５の前方から挿入し、係止爪３６を軸支部３１に嵌着する。そして、作動駒４０を先端軸２５の前方から挿入し、摺動突起４４を係止溝３９に合わせながら後方部４３を操作リング３４内に挿入する。この際、プラスチック製の作動駒４０の内面に形成したねじ部４１は、先端軸２５に、ねじ部２６のない平面部２７が形成されているため、作動駒を回転させることなく単に軸方向に圧入するだけでねじ部２６に係合し、組み立て作業が簡単になる。その後、上部軸筒８を下部軸筒７に連結し、内部に芯タンクを挿入してチャックガイド１８に連結させれば、組み立て作業が完了する。
【００１７】
上記の構成により、図１に示すようにテーパー２の段部４がチャックリング１９に当接する位置まで作動駒４０を後退させておくと、芯タンク３をノックしても、また軸筒１を上下に振って振り子２４を上下動させても、芯６は繰り出されない。
【００１８】
上記操作リング３４を回転すると、作動駒４０は前進するから、図５に示すように、チャックリング１９とテーパー２の段部４間には、芯出空間が形成される。その状態で芯タンク３をノック若しくは軸筒１を振ると、チャックリング１９が芯出空間を移動する長さ分、芯６を繰り出すことができる。したがって、この操作リング３４を回転して芯出空間の長さを調整することにより、芯６の繰り出し量を調整することができる。
【００１９】
また、図５の状態でも操作リング３４を回転することができるから、該操作リング３４を回転して芯６の突出量を変えることができる。例えば、芯６を出しすぎた場合、従来のように再度ノック操作をすることなく、上記操作リング３４を回転してテーパー２を前進させればよい。このようにすれば、従来のように芯の先端を紙面に押し当ててノック操作する必要がないから、紙面を汚したり、芯カスが周囲に落下してしまうこともない。
【００２０】
また、筆記により芯６が短くなったときには、操作リング３４を回転してテーパー２を後退させれば、芯６の先端は相対的に、テーパー２から突出することになるので、再度ノック操作等をする必要がなくなる。
【符号の説明】
【００２１】
１    軸筒
２    テーパー
３    芯タンク
１８  チャックガイド
１９  チャックリング
２０  チャック
２４  振り子
２５  先端軸
２６  ねじ部
２７  平面部
３１  軸支部
３４  操作リング
３９  係止溝
４０  作動駒
４１  ねじ部
４４  摺動突起
【図１】
2013119168.tif 000003
【図２】
2013119168.tif 000004
【図３】
2013119168.tif 000005
【図４】
2013119168.tif 000006
【図５】
2013119168.tif 000007
【図６】
2013119168.tif 000008
【図７】
2013119168.tif 000009
【図８】
2013119168.tif 000010
【手続補正書】
【提出日】平成24年8月6日(2012.8.6)
【手続補正１】
【補正対象書類名】明細書
【補正対象項目名】００１１
【補正方法】変更
【補正の内容】
【００１１】
図１は、本発明のシャープペンシルの一実施例を示し、軸筒１は、先端に段部４と芯保持部５を有するテーパー（口金）２を具備し、内部には軸筒１の軸方向（前後方向、上下方向）に移動可能に芯タンク３が挿入され、芯６が収納されている。図１において、軸筒１は、下部軸筒７と、該下部軸筒７に接続される上部軸筒８を有するが、下部軸筒と上部軸筒を一体的に構成することもできる。上部軸筒８の内面には、リブ９と肩部１０が形成され、該肩部１０と芯タンク３のフランジ１１間には該芯タンクを後方に付勢するリターンスプリング１２が設けられている。該芯タンク３の後端には消しゴム１３が嵌着され、ノックキャップ１４が嵌着されている。該芯タンク３の中間部には上記肩部１０に当接するようストッパー１５が形成され、組立時に該ストッパー１５が容易に肩部１０を通過することができるよう芯タンク３の壁面には弾性的変形を許容するための孔１６が形成されている。該ストッパーの前方には、内方突起１７が形成してあるが、この内方突起１７は、上記肩部１０を通過できる大きさに設けられている。
【手続補正２】
【補正対象書類名】明細書
【補正対象項目名】００１５
【補正方法】変更
【補正の内容】
【００１５】
上記先端軸２５のねじ部２６には、作動駒４０がねじ係合されている。該作動駒４０は、図８に示すように、先端軸２５のねじ部２６に係合するねじ部（雌ねじ）４１を内面に有し、外面には上記テーパー２を取り付けるためのねじ部４２が設けられている。なお、このねじ部４２に代えてテーパー２と作動駒４０の嵌合部に凹凸係合部を設けてテーパーを取り付けるようにしてもよい（図示略）。作動駒４０の後方部４３は、上記操作リング３４内に挿入できる外径に形成されており、かつ上記係止溝３９に摺動可能に入り込むよう摺動突起４４が設けられている。この構成により、操作リング３４を回転すると、作動駒４０も一緒に回転するが、該作動駒４０は先端軸２５の上記ねじ部２６にねじ係合しているので、回転しながら軸筒の前後方向（軸方向）に移動する。この際、該作動駒４０の内面には上記先端軸２５の外周に摺接するよう筒状部４５を形成してあるので、作動駒４０は安定状態で前後動し、筆記状態においてテーパー２を動揺しないように保持することができる。それにより、芯６の折損を防止することができる。なお、実施例とは反対に、作動駒４０に係止溝３９を設け、上記操作リング３４に摺動突起４４を設けてもよい（図示略）。
【手続補正３】
【補正対象書類名】図面
【補正対象項目名】図１
【補正方法】変更
【補正の内容】
【図１】
2013119168.tif 000011